(57)【要約】【課題】  複数の映像を互いに明確に区別して視認可能に表示したり、各投影像がどのような映像なのか判別し易く表示するようにした表示装置を提供する。【解決手段】  映像１３０〜１６０が境界領域１３０ａ〜１６０ａによりＬ字状に囲われて投影される。ここで、境界領域１３０ａ〜１６０ａは、互いに異なる色の境界領域情報のもとに、映像１３０〜１６０の境界領域に境界領域映像として生成されている。また、境界領域１３０ａ〜１６０ａの各色は、それぞれ、映像１３０〜１６０の背景色とは異なる。【選択図】    図４
2006235523.tif 000002
【特許請求の範囲】
【請求項１】
複数の映像を、表示画面中に、互いに境界領域を介し隣り合う映像として表示する表示手段を備えてなる表示装置において、
前記各映像に関連する情報に応じ前記各映像に対する各境界領域情報を決定する境界領域情報決定手段と、
前記境界領域情報決定手段により決定された前記各境界領域情報に基づいて前記各映像に対する各境界領域映像を生成する境界領域映像生成手段と備えることを特徴とする表示装置。
【請求項２】
前記各境界領域情報は、色、模様或いはイメージの情報であることを特徴とする請求項１に記載の表示装置。
【請求項３】
前記各境界領域情報は、文字、記号或いはシンボルの情報であることを特徴とする請求項１に記載の表示装置。
【請求項４】
前記境界領域映像生成手段は、更に、前記映像の数、前記各映像の表示方向或いは表示形態に応じて境界領域映像を生成することを特徴とする請求項１〜３のいずれか１つに記載の表示装置。
【請求項５】
前記各境界領域映像は、互いに、前記各映像に対する各境界領域の対応部を除いて隣接しないように配置されることを特徴とする請求項１〜４のいずれか１つに記載の表示装置。
【請求項６】
前記各映像の背景を分析する背景分析手段を備えて、
前記境界領域情報決定手段は、前記背景分析手段による前記各背景の分析結果に応じて、前記各映像の境界に対する各境界領域情報を決定することを特徴とする請求項１〜５のいずれか１つに記載の表示装置。
【請求項７】
前記境界領域情報決定手段は、前記境界領域情報の決定の際に、前記各映像の背景の分析が所定時間を超えるか或いは分析結果が不適切であるとき、前記分析結果に依存しない所定のルールで境界情報を決定することを特徴とする請求項６に記載の表示装置。
【請求項８】
前記境界領域情報決定手段は、前記各映像の周囲のうち前記各境界領域以外の少なくとも一部分をも含めて、前記境界領域情報を決定し、
前記境界領域映像生成手段は、前記境界領域情報決定手段により決定された前記各映像の周囲のうち前記各境界領域以外の少なくとも一部分をも含む前記境界領域情報に基づいて前記各境界領域映像を生成することを特徴とする請求項１〜６のいずれか１つに記載の表示装置。
【発明の詳細な説明】
【技術分野】
【０００１】
本発明は、複数の映像を表示画面上に表示するようにした表示装置に関するものである。
【背景技術】
【０００２】
従来、この種の表示装置においては、下記特許文献１に開示された投影表示装置がある。この投影表示装置では、複数の映像が表示画面中に互いに境界領域を介し隣り合うように分割表示される。
【特許文献１】特開２００３−２８００９１号公報
【発明の開示】
【発明が解決しようとする課題】
【０００３】
ところで、上記投影表示装置によると、複数の映像の境界領域について何ら決まっていない。このため、当該境界領域が、この境界領域を介し互いに隣り合う各投影像の背景と同じであるか或いは似ている場合、これら各投影像の境界がはっきりしない。その結果、当該各投影像が、互いに明確に区別しては、視認されにくいという不具合がある。
【０００４】
また、複数の映像が表示されているため各映像がどの様な映像なのか投影像だけでは判別しにくい。
【０００５】
そこで、本発明は、以上のようなことに対処するため、複数の映像を互いに明確に区別して視認可能に表示したり、各投影像がどのような映像なのか判別し易く表示するようにした表示装置を提供することを目的とする。
【課題を解決するための手段】
【０００６】
上記課題の解決にあたり、本発明に係る表示装置は、請求項１の記載によれば、
複数の映像（１３０〜１６０、１７０、１８０）を、表示画面中に、互いに境界領域（１３０ａ〜１６０ａ、１３０ｂ〜１６０ｂ、１７０ａ、１８０ａ）を介し隣り合う映像として表示する表示手段（６０、７０、９０）を備えている。
【０００７】
当該表示装置において、上記各映像に関連する情報に応じ上記各映像に対する各境界領域情報を決定する境界領域情報決定手段（２４０ａ、２４０ｂ、２５０）と、
境界領域情報決定手段により決定された上記各境界領域情報に基づいて上記各映像に対する各境界領域映像を生成する境界領域映像生成手段（２６０、２７０、２８０、３０）とを備えることを特徴とする。
【０００８】
これにより、上述のように生成した各映像及びその各対応の境界領域映像を１つの映像として合成し、この合成映像を上記隣り合う映像として表示すれば、各映像を異なる情報或いは属性を有する境界領域情報を介し隣り合うように表示することとなる。その結果、各映像を互いに明確に区別して視認し得る。
【０００９】
また、本発明は、請求項２に記載のように、請求項１に記載の表示装置において、上記各境界領域情報を、色、模様或いはイメージの情報とすることで、請求項１に記載の発明の作用効果を具体的に達成し得る。
【００１０】
また、本発明は、請求項３に記載のように、請求項１に記載の表示装置において、上記各境界領域情報を、文字、記号或いはシンボルの情報とすることで、請求項１に記載の発明の作用効果を具体的に達成し得る。
【００１１】
また、本発明は、請求項４に記載のように、請求項１〜３のいずれか１つに記載の表示装置において、境界領域映像生成手段は、更に、上記映像の数、上記各映像の表示方向或いは表示形態に応じて境界領域映像を生成するようにしたことを特徴とする。
【００１２】
これによれば、上述のように各映像の表示方向或いは表示形態に応じて生成した境界領域映像を１つの映像として合成し、この合成映像を上記隣り合う映像として表示することで、請求項１〜３のいずれか１つに記載の発明の作用効果をより一層具体的に達成し得る。
【００１３】
また、本発明は、請求項５に記載のように、請求項１〜４のいずれか１つに記載の表示装置において、上記各境界領域映像は、互いに、上記各映像に対する各境界領域の対応部を除いて隣接しないように配置されるようにしてもよい。
【００１４】
これによっても、請求項１〜４のいずれか１つに記載の発明と同様の作用効果が達成され得る。
【００１５】
また、本発明は、請求項６の記載によれば、請求項１〜５のいずれか１つに記載の表示装置において、上記各映像の背景を分析する背景分析手段（２４０）を備えて、境界領域情報決定手段は、背景分析手段による上記各背景の分析結果に応じて、上記各映像の境界に対する各境界領域情報を、当該各映像の背景とは異なるように決定することを特徴とする。
【００１６】
このように各映像の背景の分析結果に応じて、上記各映像の境界領域情報を、当該各映像の背景とは異なるように決定するので、請求項１〜５のいずれか１つに記載の発明の作用効果がより一層確実に達成され得る。
【００１７】
また、本発明は、請求項７の記載によれば、請求項６のいずれか１つに記載の表示装置において、境界領域情報決定手段は、上記境界領域情報の決定の際に、上記各映像の背景の分析が所定時間を超えるか或いは分析結果が不適切であるとき、上記分析結果に依存しない所定のルールで境界情報を決定することを特徴とする。
【００１８】
このように、上記境界領域情報の決定の際に上記各映像の背景の分析が所定時間を超えるか或いは分析結果が不適切であっても、上記境界情報は、上記所定のルールを利用することで決定される。従って、上記各映像の背景の分析の如何にかかわらず、境界情報の決定が可能となり、請求項６に記載の発明と実質的に同様の作用効果が達成され得る。
【００１９】
また、本発明は、請求項８の記載によれば、請求項１〜６のいずれか１つに記載の表示装置において、
境界領域情報決定手段は、上記各映像の周囲のうち上記各境界領域以外の部分をも含めて、上記境界領域情報を決定し、
境界領域映像生成手段は、境界領域情報決定手段により決定された上記各映像の周囲のうち上記各境界領域以外の部分をも含む上記境界領域情報に基づいて上記各境界領域映像を生成することを特徴とする。
【００２０】
このように各映像の周囲に亘るように上記境界領域情報を決定し、この境界領域情報に基づいて上記各境界領域映像を生成するようにしても、請求項１〜６のいずれか１つに記載の発明と同様の作用効果が達成され得る。
【００２１】
なお、上記各手段の括弧内の符号は、後述する実施形態に記載の具体的手段との対応関係を示すものである。
【発明を実施するための最良の形態】
【００２２】
以下、本発明の各実施形態を図面により説明する。
（第１実施形態）
図１及び図２は、本発明が適用される卓上型プロジェクターの第１実施形態を示している。当該プロジェクター（以下、プロジェクターＰＪともいう）は、ハウジングＨを備えており、このハウジングＨは、その底壁Ｈ１にて、図１にて示すごとく、机１０の端部上に立設されている。
【００２３】
当該プロジェクターＰＪは、図１或いは図２にて示すごとく、操作パネルＰ、制御ユニットＵ、ランプ７０、照明光学系８０、透過型液晶パネル９０及び結像光学系Ｅを備えている。
【００２４】
操作パネルＰは、ハウジングＨの上壁でもって構成されており、当該操作パネルＰは、複数の押動型操作キーの選択的操作に基づき、分割表示の要求等の操作入力を行う。
【００２５】
制御ユニットＵは、図１にて示すごとく、ランプ７０、照明光学系８０、透過型液晶パネル９０及び結像光学系Ｅと共に、ハウジングＨに内蔵されており、当該制御ユニットＵはハウジングＨの下部内に配設されている。
【００２６】
当該制御ユニットＵは、図２にて示すごとく、操作パネルＰ、ランプ７０及び透過型液晶パネル９０（以下、ＬＣＤ９０ともいう）の間に接続されている。
【００２７】
この制御ユニットＵは、マイクロコンピュータ２０を備えており、このマイクロコンピュータ２０は、図２にて示すごとく、バスラインを介し接続してなるＣＰＵ、ＲＯＭ及びＲＡＭを主たる構成素子として有する。
【００２８】
しかして、このマイクロコンピュータ２０は、そのＣＰＵにより、図３にて示すフローチャートに従い、コンピュータプログラムを実行し、この実行中において、ランプ駆動回路４０の駆動制御、画像処理回路３０からの情報に基づく映像の背景色の分析、映像の境界領域の色の決定処理等の処理を行う。
【００２９】
画像処理回路３０は、マイクロコンピュータ２０の指令に従い映像信号入力回路５０から入力される各映像信号（後述する）に対し、画像メモリ３０ａ及びマイクロコンピュータ２０のＲＡＭ等を用いて、信号の付加或いは変更を行うとともに、付加或いは変更を行った各映像信号をＬＣＤ駆動回路６０に出力する。
【００３０】
また、画像処理回路３０は、映像信号入力回路５０から入力される各映像信号にそれぞれ関連する情報をマイクロコンピュータ２０に出力する。なお、画像メモリ３０ａは、画像処理回路３０の処理データを記憶する。
【００３１】
映像信号入力回路５０は、各入力端子１及び２（図２参照）にて、第１及び第２の外部機器（図示しない）から映像を表す映像信号１及び映像信号２（図２参照）をそれぞれ入力されて、これら映像信号１及び映像信号２に基づき水平同期信号及び垂直同期信号等の同期信号をそれぞれ発生する。
【００３２】
また、映像信号入力回路５０は、上述した水平同期信号及び垂直同期信号等の同期信号の発生とともに、映像信号１〜映像信号４を上記同期信号に対応付けて画像処理回路３０に出力する。
【００３３】
ここで、両映像信号３、４を上述した外部機器から入力される例以外の例を挙げて説明する。例えば、映像信号３は、図２にて図示入力端子３を介し過去に映像信号入力回路５０に入力された動画を表す信号であり、この映像信号３は、例えば、マイクロコンピュータ２０に入力されて画像メモリ３０ａを利用し当該マイクロコンピュータ２０のＲＯＭに記憶された記録動画を表す信号である。
【００３４】
また、上述した映像信号４は、図２にて図示入力端子４を介し過去に映像信号入力回路５０に入力された動画を表す信号であり、この映像信号４は、例えば、マイクロコンピュータ２０に入力され、画像メモリ３０ａを利用する等して、当該マイクロコンピュータ２０のＲＯＭに上述のように入力された動画を静止画キャプチャーし記憶された記録静止画を表す信号である。
【００３５】
なお、上記記録動画や記録静止画はいずれの入力端子から入力されるものであってもよいことはいうまでもない。また、上述した第１の外部機器としては、例えば、ＶＴＲ、ＤＶＤ、テレビジョン或いはテレビジョンチューナー等の外部映像機器が挙げられる。また、上述した第２の外部機器としては、例えば、パーソナルコンピュータが挙げられる。
【００３６】
ランプ７０は、照明光学系８０及びＬＣＤ９０と共に、図１にて示すごとく、制御ユニットＵの直上にて、ハウジングＨの上部内に配設されており、当該ランプ７０は、マイクロコンピュータ２０による制御のもと、ランプ駆動回路４０により駆動されて点灯し照明光学系８０に光を出射する。
【００３７】
照明光学系８０は、図１にて示すごとく、コンデンサレンズ８１、反射ミラー８２、リレーレンズ系８３及び反射ミラー８４を備えている。コンデンサレンズ８１は、ランプ７０から出射される光を集光して反射ミラー８２に出射する。
【００３８】
反射ミラー８２は、コンデンサレンズ８１及びリレーレンズ系８３の双方を臨むように配設されており、当該反射ミラー８２は、コンデンサレンズ８１から出射される光を反射してリレーレンズ系８３に入射する。
【００３９】
リレーレンズ系８３は、凹レンズ８３ａ及び両凸レンズ８３ｂ、８３ｃを同軸的に配列してなるもので、当該リレーレンズ系８３は、反射ミラー８２からの反射光を、凹レンズ８３ａ及び両凸レンズ８３ｂ、８３ｃにより、平行光として反射ミラー８４に向け出射する。
【００４０】
反射ミラー８４は、凸レンズ８３ｃ及びＬＣＤ９０の双方を臨むように配設されており、この反射ミラー８４は、リレーレンズ系８３からの出射光を反射し光束状の照明光としてＬＣＤ９０に入射する。
【００４１】
ＬＣＤ９０は、ＬＣＤ駆動回路６０により駆動されて、照明光学系８０から入射される光束状の照明光に基づき映像を光でもって出射する。このことは、ＬＣＤ９０が、その表示面にて、上記映像を表示することを意味する。
【００４２】
結像光学系Ｅは、図１にて示すごとく、凸レンズ１００、両凹レンズ１１０ａ、１１０ｂ及び投影レンズ１２０でもって構成されており、当該結像光学系Ｅは、その投影レンズ１２０のうち図１にて図示約左側半分部分にて、ハウジングＨの開口部Ｈ２を通して、机１０上のスクリーンＳに対向している。
【００４３】
しかして、結像光学系Ｅは、ＬＣＤ９０から出射される光をハウジングＨの開口部Ｈ２を通してスクリーンＳに投光する。このことは、ＬＣＤ９０の表示映像がスクリーンＳに投影されることを意味する。なお、開口部Ｈ２は、ハウジングＨの上部に、下方に向けて開口するように形成されている。
【００４４】
このように構成した本第１実施形態において、制御ユニットＵが作動状態になると、マイクロコンピュータ２０は、そのＣＰＵにより、図３のフローチャートに従いコンピュータプログラムの実行を開始する。
【００４５】
また、両映像信号１、２が両入力端子１、２（図２参照）を介し映像信号入力回路５０に入力されると、これら映像信号１、２は、映像信号入力回路５０でもって画像処理回路３０に入力される。
【００４６】
また、両映像信号３、４は、それぞれ、マイクロコンピュータ２０のＲＯＭから読み出される記録動画及び記録静止画を表す信号であって、上述と同様にして、画像処理回路３０に入力される。当該両映像信号３、４は、過去に両入力端子３、４（いずれの入力端子であってもよい）等から入力された動画、或いは、入力された動画をキャプチャーする等して得た静止画を記憶したものであって、映像信号３としての動画が、記憶日時などの諸情報と共に記憶されるとともに、映像信号４としての動画をキャプチャーした静止画が、記憶日時などの諸情報と共に記憶されているものとする。
本第１実施形態では、映像信号１、映像信号２、映像信号３及び映像信号４の各映像は、図４にて例示するごとく、それぞれ、映像１３０、映像１４０、映像１５０及び映像１６０であるものとする。
【００４７】
ここで、映像１３０は、映像信号１で表される動画からなるもので、この映像１３０は、変化の多い映像故、背景色を定義しにくい背景の中央部位に、画面Ａを表す情報（以下、画面情報Ａという）を形成して構成されている。なお、映像信号１は、テレビジョンやビデオ機器から入力される信号であって、背景色を規定しにくい動画を表す信号であり、この信号のブランキング部分には、文字情報が埋め込まれている。
【００４８】
映像１４０は、映像信号２で表される背景であって静止状態の多い動画からなる背景を有するものであって、この映像１４０は、所定の背景色を施した背景の中央部位に、画面Ｂを表す情報（以下、画面情報Ｂという）を形成して構成されている。なお、当該映像信号２は、パーソナルコンピュータから入力されるＲＧＢ信号（コンポーネント信号）であって、付随情報をもっていない。
【００４９】
映像１５０は、映像信号３で表される入力端子３から過去に入力された映像信号の映像を記憶した記録動画からなるもので、この映像１５０は、所定の背景色の背景の中央部位に、画面Ｃを表す情報（以下、画面情報Ｃという）を形成して構成されている。なお、当該映像信号３は、記憶日時や総再生時間等種々の情報を備えている。
【００５０】
また、映像１６０は、映像信号４で表される入力端子４から過去に入力された映像信号の映像を静止キャプチャーした記録静止画からなるもので、この映像１６０は、所定の背景色の背景の中央部位に、画面Ｄを表す情報（以下、画面情報Ｄという）を形成して構成されている。なお、当該映像信号４は、記憶日時や画像サイズなどの種々の付随情報を備えている。
【００５１】
上述のようにマイクロコンピュータ２０が、そのＣＰＵにより、コンピュータプログラムの実行を開始すると、図３のステップ２００において、ランプ点灯制御処理がなされる。このランプ点灯制御処理に伴い、ランプ駆動回路４０は、マイクロコンピュータ２０によりそのＣＰＵでもって駆動制御されてランプ７０を点灯させる。これに伴い、照明光学系８０が、ランプ７０の出射光を光束状の照明光としてＬＣＤ９０に出射する。
【００５２】
ステップ２００の処理後、ランプ７０の出射光の強度安定などを目的とした一定時間の経過を待って、ステップ２１０において、分割表示の要求有りか否かが判定される。現段階にて、操作パネルＰの操作により、分割表示の要求及び分割表示の仕方（どの映像信号の映像をどの位置に表示するか等）が操作入力としてマイクロコンピュータ２０に入力されておれば、ステップ２１０においてＹＥＳと判定される。
【００５３】
ついで、ステップ２２０において、操作入力として指定された映像信号の入力有りか否かが判定される。ここで、映像信号入力回路５０から或いはマイクロコンピュータ２０のＲＯＭ内に上記指定映像信号の入力があれば、分割表示の対象とする映像の入力が有ることから、ステップ２２０においてＹＥＳと判定される。現段階では、画像処理回路３０からマイクロコンピュータ２０への入力映像信号は、映像信号１〜映像信号４であるものとする。
【００５４】
ステップ２２０におけるＹＥＳとの判定に伴い、ステップ２３０において、画像処理指令が画像処理回路３０に対しなされる。すると、画像処理回路３０は、映像信号１〜映像信号４を分割映像として表示可能な状態にするため、これら映像信号に、画素間引きなどの画像縮小処理等の解像度の変換処理を施す。
【００５５】
然る後、当該画像処理回路３０は、上記解像度変換処理後の分割映像（映像信号１〜映像信号４の各映像からなる分割映像）をデータとして画像メモリ３０ａ及びマイクロコンピュータ２０に出力する。
【００５６】
この出力に伴い、上記解像度変換処理後の分割映像は、画像メモリ３０ａによりデータとして記憶されるとともに、分割映像の背景色分析処理が、マイクロコンピュータ２０により、そのＣＰＵでもって、ステップ２４０においてなされる。
【００５７】
当該背景色分析処理では、分割映像の背景色がどのような色であるかが分析される。詳細には、マイクロコンピュータ２０と画像処理回路３０との間のデータの入出力のもと、分割映像の各映像の特定の領域の輝度や色合いが一定時間の間測定されることで、分割映像の各映像の背景色の分析が、各映像の境界領域を中心としてなされる。
【００５８】
なお、映像が動画である場合には、当該映像（背景）が変化し易いため、特定の色を示す背景色は、動画以外の分割映像の境界領域と異なる色として設定しにくい場合が考えられる。従って、両映像信号１、３に関しては動画であるため、背景色を設定しにくいが、映像信号２は、動画であっても、パーソナルコンピュータによる画像であるため、背景が一定の場合が多く、比較的、背景色が設定し易く、映像信号４に関しては、静止画であるため背景色は最も設定し易い。
【００５９】
上述のようなステップ２４０における処理後、ステップ２４０ａにおいて、ステップ２４０における分析結果が適切であるか否かが判定される。
【００６０】
この判定は、具体的には、ステップ２４０における分析処理の時間が所定時間以内か否か或いは当該分析処理の結果が各映像信号内及び各映像信号間において妥当か否かでもってなされる。
【００６１】
ステップ２４０における分析が適切でなければ、ステップ２４０ａにおける判定がＮＯとなり、次のステップ２４０ｂにおいて、所定のルールに基づく分割映像の境界領域の色決定処理がなされる。
【００６２】
本実施形態において、上記所定のルールは、表示位置に応じて色、模様を決定するか、分析結果によって背景色が決まった他の領域の色や模様とは異なる色や模様を決定するか、入力端子、入力映像種別で色や模様を決定するか、或いは各境界領域の色や模様が異なる組み合わせを複数決めておきランダムに選択するか等種々の例があげられるが、表示される映像内容とは直接関連しないで容易に各境界領域情報が決められるルールであればよい。
【００６３】
従って、各境界領域の色が、上述のような所定のルールのいずれかに基づき決定される。    
【００６４】
また、上述の背景分析の結果、分割映像のうちの複数の映像において境界領域の色が類似してしまう場合には、境界領域の色を識別可能な程度にて変化させるように処理する。例えば、その色を互いに濃い方と薄い方とに変化させるなど、色相或いは濃度を互いに逆方向に少し変化させることで識別し易くする。また、どちらか一方のみを他の分割映像の境界領域の色とは違う色に設定してもよい。
【００６５】
ステップ２４０ａにおける判定がＹＥＳとなる場合には、ステップ２５０において分割映像の背景色決定処理がなされる。この色決定処理では、上述のような背景色分析の結果に基づき、分割映像の映像毎に、その境界領域の色が境界領域情報として決定される。
【００６６】
ここでは、ステップ２４０における分析が映像信号１、３に関しＮＯとなり、次のステップ２４０ｂにおいて、所定のルールに基づく分割映像の境界領域の色決定処理がなされる。
【００６７】
例えば、分割映像の各映像（各映像１３０〜１５０）の背景色が、共に、水色で、映像１６０の背景色が黄色であるとすると、映像１３０、１５０に上述した所定のルールを適用し、当該各映像１３０〜１６０の境界領域の色が、それぞれ、青色、桃色、薄茶色及び黄色に決定されるものとする。
【００６８】
ステップ２４０ｂ或いはステップ２５０の処理が終了すると、ステップ２６０において、境界領域映像生成処理指令が画像処理回路３０に対しなされる。このとき、当該境界領域映像生成処理指令に併せて、ステップ２４０ｂ或いはステップ２５０にて決定された分割映像の映像毎の境界領域情報が画像処理回路３０に対しデータとして出力される。
【００６９】
これに伴い、画像処理回路３０は、上述した各対応の境界領域情報のもと、上記分割映像の映像毎の境界領域映像を生成して画像メモリ３０ａに出力する。このため、当該各境界領域映像が、その各対応映像との関連にて画像メモリ３０ａに記憶される。なお、このときの各境界領域映像及び各分割映像のデータは、各分割映像及び各境界領域映像を所定の位置にレイアウトするように、所定のタイミングで読み出される。
【００７０】
本第１実施形態において、上述の各境界領域映像は、それぞれ、各映像１３０〜１６０に対応する各Ｌ字状の境界領域１３０ａ〜１６０ａ（図４参照）を表す映像である。ここで、境界領域１３０ａは、左右方向部位１３１及び上下方向部位１３２でもってＬ字状に構成され、境界領域１４０ａは、水平方向部位１４１及び上下方向部位１４２でもってＬ字状に構成されている。また、境界領域１５０ａは、水平方向部位１５１及び上下方向部位１５２でもってＬ字状に構成され、境界領域１６０ａは、水平方向部位１６１及び上下方向部位１６２でもってＬ字状に構成されている。
【００７１】
上述のように各境界領域映像が画像メモリ３０ａに記憶されると、当該各境界領域映像及び画像メモリ３０ａに記憶済みの分割映像が、画像処理回路３０によって、上述の所定のレイアウトに設定されるように画像メモリ３０ａから順次読み出される。
【００７２】
ここで、上記レイアウト設定は、分割映像及び各境界領域映像の画像メモリ３０ａへの記憶アドレス或いは当該画像メモリ３０ａからの読み出しアドレスの適切な設定によりなされる。
【００７３】
当該レイアウト設定では、分割映像は、図４にて示すごとく、両映像１３０、１４０にて上下に配置されるとともに両映像１５０、１６０にて両映像１３０、１４０の右側に配置することで構成される。
【００７４】
また、境界領域１３０ａは、左右方向部位１３１及び上下方向部位１３２にて、映像１３０の下縁及び右縁に沿い形成される。ここで、境界領域１３０ａに対応する境界領域映像は、上述のごとく、青色であることから、当該境界領域１３０ａの色は青色（図４にて図示斜線参照）である。
【００７５】
境界領域１４０ａは、水平方向部位１４１及び上下方向部位１４２にて、映像１４０の上縁及び右縁に沿い形成される。ここで、境界領域１４０ａに対応する境界領域映像は、上述のごとく、桃色であることから、当該境界領域１４０ａの色は桃色（図４にて図示斜線参照）である。
【００７６】
境界領域１５０ａは、水平方向部位１５１及び上下方向部位１５２にて、映像１５０の下縁及び左縁に沿い形成される。ここで、境界領域１５０ａに対応する境界領域映像は、上述のごとく、薄茶色であることから、当該境界領域１５０ａの色は薄茶色（図４にて図示斜線参照）である。
【００７７】
また、境界領域１６０ａは、水平方向部位１６１及び上下方向部位１６２にて、映像１６０の上縁及び左縁に沿い形成される。ここで、境界領域１６０ａに対応する境界領域映像は、上述のごとく、黄色であることから、当該境界領域１６０ａの色は黄色（図４にて図示斜線参照）である。
【００７８】
しかして、上述のように所定のレイアウトのもとに読み出された分割映像及びその各映像に対応する各境界領域映像は、画像処理回路３０により、１つの映像に合成されて表示データとしてＬＣＤ駆動回路６０に出力される。
【００７９】
この出力に基づき、当該ＬＣＤ駆動回路６０がＬＣＤ９０を表示駆動する。これに伴い、ＬＣＤ９０は、照明光学系８０の照明光でもって、上記表示データで特定される映像を光として出射する。このことは、当該ＬＣＤ９０は、その表示面にて、上記表示データで特定される映像を、図４にて示すごとく、表示することを意味する。
【００８０】
上述のようにＬＣＤ９０が上記表示データで特定される映像を光として出射すると、この光は、結像光学系ＥによりハウジングＨの開口部Ｈ２を通してスクリーンＳ上に投光される。これにより、上述した表示データで特定される合成映像が、スクリーンＳ上に図４にて示すごとく投影される。
【００８１】
ここで、上述したごとく、各境界領域１３０ａ、１４０ａ、１５０ａ及び１６０ａの色が、各映像１３０〜１６０の間の相互の境界を明確にするように、これら各映像１３０〜１６０の各背景色を考慮して、決定されている。即ち、上述のごとく、各映像１３０〜１６０の背景色が水色であることで、各境界領域１３０ａ、１４０ａ、１５０ａ及び１６０ａの色が、青色、桃色、薄茶色及び黄色に決定されている。
【００８２】
従って、上記表示データの映像においては、両境界領域１３０ａ、１４０ａが、各左右方向部位１３１、１４１でもって、両映像１３０、１４０を相互に区画する。ここで、境界領域１３０ａは、左右方向部位１３１にて、境界領域１４０ａの左右方向部位１４１と接している。しかも、境界領域１３０ａの左右方向部位１３１が青色（図４にて図示斜線参照）を有するのに対し、境界領域１４０ａの左右方向部位１４１は桃色（図４にて図示斜線参照）を有する。
このように両境界領域１３０ａ、１４０ａの各左右方向部位１３１、１４１の色が異なることで、両境界領域１３０ａ、１４０ａの各左右方向部位１３１、１４１の間の境界線が明確になる。よって、両映像１３０、１４０の各背景が共に水色と同じであっても、当該両映像１３０、１４０は、両境界領域１３０ａ、１４０ａの各左右方向部位１３１、１４１の互いに異なる色でもって、明確に識別して視認され得る。
【００８３】
また、両境界領域１３０ａ、１５０ａは、各上下方向部位１３２、１５２でもって、両映像１３０、１５０を相互に区画する。ここで、境界領域１３０ａは、上下方向部位１３２にて、境界領域１５０ａの上下方向部位１５２と接している。しかも、境界領域１３０ａの上下方向部位１３２が青色を有するのに対し、境界領域１５０ａの上下方向部位１５２は薄茶色を有する。
【００８４】
このように両境界領域１３０ａ、１５０ａの各上下方向部位１３２、１５２の色が異なることで、両境界領域１３０ａ、１５０ａの各上下方向部位１３２、１５２の間の境界線が明確になる。よって、両映像１３０、１５０の各背景が共に水色と同じであっても、当該両映像１３０、１５０は、両境界領域１３０ａ、１５０ａの各上下方向部位１３２、１５２の互いに異なる色でもって、明確に識別して視認され得る。
【００８５】
また、両境界領域１５０ａ、１６０ａが、各左右方向部位１５１、１６１でもって、両映像１５０、１６０を相互に区画する。ここで、境界領域１５０ａは、左右方向部位１５１にて、境界領域１６０ａの左右方向部位１６１と接している。しかも、境界領域１５０ａの左右方向部位１５１が薄茶色を有するのに対し、境界領域１６０ａの左右方向部位１６１は黄色を有する。
【００８６】
このように両境界領域１５０ａ、１６０ａの各左右方向部位１５１、１６１の色が異なることで、両境界領域１５０ａ、１６０ａの各左右方向部位１５１、１６１の間の境界線が明確になる。よって、両映像１５０、１６０の各背景が共に水色と同じであっても、当該両映像１５０、１６０は、両境界領域１５０ａ、１６０ａの各左右方向部位１５１、１６１の互いに異なる色でもって、明確に識別して視認され得る。
【００８７】
また、両境界領域１４０ａ、１６０ａは、各上下方向部位１４２、１６２でもって、両映像１４０、１６０を相互に区画する。ここで、境界領域１４０ａは、その上下方向部位１４２にて、境界領域１６０ａの上下方向部位１６２と接している。しかも、境界領域１４０ａの上下方向部位１４２が桃色を有するのに対し、境界領域１６０ａの上下方向部位１６２は黄色を有する。
このように両境界領域１４０ａ、１５０ａの各上下方向部位１４２、１６２の色が全く異なることで、両境界領域１４０ａ、１６０ａの各上下方向部位１４２、１６２の間の境界線が明確になる。よって、両映像１４０、１６０の各背景が共に水色と同じであっても、当該両映像１４０、１６０は、両境界領域１４０ａ、１６０ａの各上下方向部位１４２、１６２の互いに異なる色でもって、明確に識別して視認され得る。
【００８８】
以上より、各映像１３０〜１６０は、上述のように互いに異なる色の各境界領域１３０ａ〜１６０ａでもって、相互に明確に区別して視認可能に投影される。その結果、各画面情報Ａ〜Ｄが、どの映像に属する情報であるかを明確にしつつ、はっきりと区別して容易に視認され得る。
【００８９】
なお、本第１実施形態では、ステップ２２０において映像信号の入力の有無が判定されるが、入力映像信号は、映像信号１〜映像信号４の４つに限ることなく、操作によって指定された各映像信号であればよい。
【００９０】
また、本第１実施形態では、各境界領域１３０ａ、１４０ａ、１５０ａ、１６０ａが上述のように異なる色に決定される例について説明したが、これに限ることなく、各境界領域１３０ａ、１４０ａ、１５０ａ、１６０aが全て同じ色に決定されてもよい。但し、この場合、各境界領域１３０ａ、１４０ａ、１５０ａ、１６０aの色は各映像１３０〜１６０の各背景色全てと異なる色にするのが望ましい。また、各境界領域１３０ａ、１４０ａ、１５０ａ、１６０aが同じ色でも、異なる模様に設定してもよい。
【００９１】
また、本第１実施形態では、上述のような背景分析の結果、分割映像のうちの複数の映像において境界領域の色が類似してしまう場合には、境界領域の色を識別可能な程度にて変化させるように処理することに限ることなく、この処理を、境界領域の色を同一にして網掛け等の模様で変化を与えることで行ってもよい。
（第２実施形態）
図５及び図６は、本発明の第２実施形態の要部を示している。この第２実施形態では、上記第１実施形態にて述べたマイクロコンピュータ２０によって、図３のフローチャートに代えて、図５にて示すフローチャートに従い実行するように変更されている。なお、本第２実施形態以後の各実施形態では、マイクロコンピュータ２０のＣＰＵによる処理を補足する通常のＲＡＭと、プログラムだけでなく各入力部から入力された映像や静止画を記憶するＲＯＭとしてのフラッシュメモリなどの不揮発性メモリとでもって構成されることを前提とする。その他の構成は上記第１実施形態と同様である。
【００９２】
このように構成した本第２実施形態において、上記第１実施形態と同様にステップ２００〜ステップ２４０ｂ或いは２５０（図３及び図５参照）における処理が終了すると、ステップ２７０（図５参照）において、付随情報取り込み処理がなされる。
【００９３】
この付随情報取り込み処理では、映像１３０〜１映像１６０の各々に対する付随情報が、映像信号入力回路５０やマイクロコンピュータ２０のＲＯＭ等から映像信号１〜映像信号４の付随情報として取り込まれる。
【００９４】
ここで、映像１３０に対する付随情報（付随情報Ａ）は、例えば、「表示映像種別」及び「文字情報」であり、映像１４０に対する付随情報（付随情報Ｂ）は、例えば、「表示映像種別」及び「文字情報なし」であるとする。映像１５０に対する付随情報（付随情報Ｃ）は、例えば、「記録日時」及び「総再生時間」であり、また、映像１６０に対する付随情報（付随情報Ｄ）は、例えば、「撮影日時」及び「画像サイズ」であるとする。
【００９５】
上述のようにステップ２７０における処理が終了すると、次のステップ２８０において、境界領域映像生成処理指令が画像処理回路３０に対しなされる。このとき、当該境界領域映像生成処理指令に併せて、上記第１実施形態におけるステップ２４０ｂ或いはステップ２５０にて決定された分割映像の映像毎の境界領域情報及びステップ２７０にて取り込まれた各付随情報が画像処理回路３０に対しデータとして出力される。
【００９６】
これに伴い、画像処理回路３０は、上述した各対応の境界領域情報及び付随情報のもと、上記分割映像の映像毎の境界領域映像を生成して画像メモリ３０ａに出力する。このため、当該各境界領域映像が、その各対応映像との関連にて画像メモリ３０ａに記憶される。本第２実施形態において、上述の各境界領域映像は、上記第１実施形態にて述べた各境界領域映像に各対応の付随情報を付加した映像である。
【００９７】
ついで、当該各境界領域映像及び画像メモリ３０ａに記憶済みの分割映像が、画像処理回路３０によって、所定のレイアウトに設定されるように画像メモリ３０ａから順次読み出される。ここで、上記レイアウト設定は、分割映像及び本第２実施形態における各境界領域映像の画像メモリ３０ａへの記憶アドレス或いは当該画像メモリ３０ａからの読み出しアドレスの適切な設定によりなされる。
【００９８】
当該レイアウト設定では、映像１３０に対応する付随情報「表示映像種別」及び「文字情報」が、対応の境界領域情報のもとに、境界領域１３０ａの左右方向部位１３１及び上下方向部位１３２にそれぞれ生成される。また、映像１４０に対応する付随情報「表示映像種別」及び「文字情報なし」が、対応の境界領域情報のもとに、境界領域１４０ａの左右方向部位１４１及び上下方向部位１４２にそれぞれ生成される。
【００９９】
また、映像１５０に対応する付随情報「記録日時」及び「総再生時間」が、境界領域１５０ａの左右方向部位１５１及び上下方向部位１５２にそれぞれ生成される。また、映像１６０に対応する付随情報「撮影日時」及び「画像サイズ」が、対応の境界領域情報のもとに、境界領域１６０ａの左右方向部位１６１及び上下方向部位１６２にそれぞれ生成される。
【０１００】
このようにして各付随情報が、各対応の境界領域情報のもとに、各対応の境界領域に生成されると、当該各境界領域は、それぞれ、上記第１実施形態にて述べた色に着色されていること及び上記各付随情報を有することから、本第２実施形態における表示データは、上記第１実施形態にて述べた表示データに上述のように各付随情報を合成した表示データとなる。
【０１０１】
然る後、この表示データが画像処理回路３０によってＬＣＤ駆動回路６０に出力されると、ＬＣＤ９０は、ＬＣＤ駆動回路６０による駆動のもと、上述のように付随情報を合成した表示データを光として出射するとともに、図６にて示すごとく表示する。また、当該光は、結像光学系Ｅにより、ハウジングＨの開口部Ｈ２を通しスクリーンＳ上に投光される。このため、上述のように付随情報を有する映像が図６にて示すごとくスクリーンＳ上に投影される。
【０１０２】
これによれば、各境界領域１３０ａ〜１６０ａには、各対応の映像１３０〜１６０の付随情報が表示されているので、上記第１実施形態にて述べた作用効果を達成しつつ、各映像１３０〜１６０に関連する情報をも視認し得る。
【０１０３】
なお、上述した各境界領域の色や模様は、第１実施形態のように決めることは必須でなく、表示場所によって予め色や模様を決めたり、無色や同色同模様であっても構わないことは言うまでもない。ここで、色や模様は、所定のルールで決めてもよいし、色や模様がなくても特に構わない。
（第３実施形態）
図７は、本発明の第３実施形態の要部を示している。この第３実施形態では、上記第２実施形態にて述べたステップ２８０における境界領域映像生成処理指令に基づく画像処理回路３０の処理が、当該第２実施形態とは異なり、次のようになされる。
【０１０４】
本第３実施形態では、各境界領域映像は、上記第１実施形態にて述べた各境界領域映像において各境界領域１３０ａ〜１６０ａに代わる各境界領域１３０ｂ〜１６０ｂを表す映像に各対応の付随情報Ａ〜Ｄ（図７参照）を付加した映像として画像メモリ３０ａに記憶される。
【０１０５】
しかして、本第３実施形態においても、画像メモリ３０ａに記憶済みの分割映像及びこの分割映像の各映像に対応する本第３実施形態における各境界領域映像が、画像処理回路３０によって、所定のレイアウトに設定されるように画像メモリ３０ａから順次読み出される。
【０１０６】
当該レイアウト設定では、上述のような分割映像の各映像１３０〜１６０の配置構成のもと、境界領域１３０ｂは、上記第２実施形態にて述べた両境界領域１３０ａ、１４０ａの各左右方向部位１３１、１４１に代えて、両映像１３０、１４０の間に沿い左右方向に形成され、境界領域１４０ｂは、上記第２実施形態にて述べた両境界領域１４０ａ、１６０ａの各上下方向部位１４２、１６２に代えて、両映像１４０、１６０の間に沿い上下方向に形成される（図７参照）。
【０１０７】
また、境界領域１５０ｂは、上記第２実施形態にて述べた両境界領域１３０ａ、１５０ａの各上下方向部位１３２、１５２に代えて、両映像１３０、１５０の間に沿い上下方向に形成され、境界領域１６０ｂは、上記第２実施形態にて述べた両境界領域１５０ａ、１６０ａの各左右方向部位１５１、１６１に代えて、両映像１５０、１６０の間に沿い左右方向に形成される（図７参照）。
【０１０８】
然る後、本第３実施形態において、上述と同様に分割映像及びその各映像に対応する各境界領域映像が、画像処理回路３０により１つの映像に合成されて表示データとしてＬＣＤ駆動回路６０に出力されると、この表示データで特定される映像が、図７にて示すごとく、結像光学系ＥによりスクリーンＳ上に投影される。
【０１０９】
以上述べたように、各映像１３０〜１６０に対する各境界領域映像を各境界領域１３０ｂ〜１６０ｂの交差部以外の部位にて各映像１３０〜１６０を相互に分離するように生成することで、当該各境界領域映像、換言すれば、各境界領域を簡単にしつつ上記第２実施形態と同様の作用効果を達成し得る。
【０１１０】
なお、本第３実施形態においては、各映像１３０〜１６０の各付随情報Ａ〜Ｄが付随情報Ａ、Ｄでは左右方向の横書きの文字列として、付随情報Ｃ、Ｄでは上下方向の縦書きの文字列としてそれぞれ配置するように作成されているが、各付随情報Ａ〜Ｄの文字列はどの方向に配置されていてもよい。
（第４実施形態）
図８は、本発明の第４実施形態の要部を示している。この第４実施形態では、分割映像が、上記第１実施形態にて述べた分割映像を構成する映像１３０〜１６０に代えて、両映像１７０、１８０でもって構成されている。
【０１１１】
ここで、映像１７０は、上記第１実施形態にて述べた映像１３０（図４参照）を図８にて示すごとく時計方向に９０°回転するとともに上下方向に長くして構成されている。但し、付随情報Ａは、映像１７０の背景の図８にて図示上側部に、図示左側からみて正対視し得る文字列で構成されている。
【０１１２】
また、映像１８０は、上記第１実施形態にて述べた映像１５０（図４参照）を図８にて示すごとく反時計方向に９０°回転するとともに上下方向に長くして映像１７０の右側に位置するように構成されている。但し、付随情報Ｃは、映像１８０の背景の図８にて図示下側部に、図示右側からみて正対視し得る文字列で構成されている。
【０１１３】
また、本第４実施形態において、映像１７０の境界領域１７０ａを表す映像に相当する境界領域映像は、上記第１実施形態における映像１３０に対応する境界領域情報のもと、映像１７０を囲うように形成されている。一方、映像１８０の境界領域１８０ａを表す映像に相当する境界領域映像は、上記第１実施形態における映像１５０に対応する境界領域情報のもと、映像１８０を囲うように形成されている。
【０１１４】
また、本第４実施形態において、映像１７０に対する付随情報Ａ（例えば、天気、晴れ）が、境界領域１７０ａのうち映像１７０の左縁に沿う部位１７１に、図８にて図示左側からみて正対視し得る文字列にて形成されている。一方、映像１８０に対する付随情報Ｃ（例えば、再生時間）が、境界領域１８０ａのうち映像１８０の右縁に沿う部位１８１に、図８にて図示右側からみて正対視し得る文字列にて形成されている。
【０１１５】
これによれば、両映像１７０、１８０が、各対応の境界領域情報（上記第１実施形態にて両映像１３０、１５０に対応する各境界領域情報）のもと、対応の各付随情報Ａ、Ｃとともに、画像処理回路３０により１つの映像に合成されて表示データとしてＬＣＤ駆動回路６０に出力される。
【０１１６】
このため、当該表示データがＬＣＤ９０及び結像光学系Ｅを介しスクリーンＳに図８にて示すごとく投影される。ここで、当該スクリーンＳに対する投影像は、図８にて図示左右両側からの各観察者にとって、正対視状態にある。その結果、当該各観察者は、各対応の映像１７０、１８０をその各対応の付随情報とともに容易に視認し得る。
【０１１７】
本実施形態では、境界領域映像と各分割映像は画像メモリ３０ａなどのメモリを利用して生成、合成されているが、境界領域映像の生成や境界領域映像と各分割映像との合成は、境界領域の色や文字をアナログスイッチ等で構成されるスーパーインポーズ回路を利用し、構成する等、種々の形態で実施するようにしてもよい。文字やテロップは一例としてキャラクタージェネレータで生成され、当該文字やテロップとその背景色等の境界領域映像と各分割映像とは表示されるタイミングに応じてアナログスイッチで切り換えられることで合成表示される。
【０１１８】
分割映像の生成処理は画像メモリ３０aを利用し画素間引き処理等の画像処理で実施してもよいが、その応用技術であるマルチ画面表示や親子画面表示、文字テロップ等の映像への挿入等はテレビジョンやビデオ、カラオケ機器などで広く利用されているので、詳細な説明は省略する。
【０１１９】
なお、本発明の実施にあたり、上記各実施形態や変形例に限ることなく、以下に述べるような各種の変形例が挙げられる。
（１）映像信号は、各外部回路からの映像信号１〜映像信号４に限ることなく、複数の映像信号に対応して画面上で分割表示される場合であれば、本発明を適用できることはいうまでもない。
（２）卓上型プロジェクターに限ることなく、吊り下げ型プロジェクター等の各種のプロジェクターに本発明を適用してもよい。
（３）プロジェクターに限ることなく、ＥＬ表示装置、ブラウン管表示装置、プラズマ表示装置等の各種の表示装置に採用してもよい。
（４）上記各実施形態にて述べたように各境界領域に色を施す例に限ることなく、ハッチング等の模様を各境界領域に施すようにしてもよいし、各境界領域が識別し易いように模様や色合い、色濃度を選択的に組み合わせ各境界領域情報を設定すればよい。
（５）上述した映像に対する境界領域情報は、例えば、色、模様、イメージ、文字、記号或いはシンボルであってもよい。
（６）上記各実施形態では、映像信号として形態の異なる各信号で説明したが、本発明の特徴をより分かり易くするためのものであって、同じ形態の信号ばかり等、種々の信号形態の映像信号の組み合わせもよい。
【０１２０】
例えば、映像信号としてビデオ機器等からの通常の動画ばかり複数入力されるような場合であっても、背景色は分析しても得られにくいが、上述した所定のルールによって色や模様を決定してもよいし、更に付随情報を境界領域情報として表示してもよい。
【０１２１】
また、記憶される映像信号として、画像を圧縮して記憶する場合を例には説明しないが、画像処理回路３０及びマイクロコンピュータ２０の少なくともいずれかにＭＰＥＧ１、２、４等に準拠した動画圧縮、伸張機能やＪＰＥＧ等の静止画圧縮伸張機能を備えさせて実施してもよいことはいうまでもない。
【０１２２】
また、図示しないＵＳＢ等のデジタル入力端子から入力された（映像）データを映像信号として設定してもよいことはいうまでもない。なお、この場合の映像データは映像信号入力回路を経ないで所定のインターフェース回路を経てマイクロコンピュータ２０に送られ、映像信号（映像データ）に変換される場合が多い。
【０１２３】
また、付随情報として記憶日時及び、映像信号３では、記憶容量、総再生時間等、映像信号４では、記憶容量、画像サイズ等が考えられるが、それだけではなく記憶される映像信号と対応して記憶できる情報であれば何でも構わない。例えば、入力映像種別、画像の圧縮方式、Ｅｘｉｆ方式等の圧縮静止画ＪＰＥＧであれば、撮影条件などの埋め込み情報等が挙げられる。
【０１２４】
なお、本実施形態では、映像信号入力回路５０から画像処理回路３０へ入力される映像信号の具体的な処理に関しては言及していないが、一例を挙げると、画像処理回路３０内の処理は同期信号及び各映像信号に対応するＲＧＢ信号（コンポーネント信号）を生成（色デコード処理）し画像処理回路３０へ出力する処理である。
【０１２５】
この処理の際、上記ＲＧＢ信号は、映像信号入力回路５０か画像処理回路３０かのどちらかでデジタル化されＲＧＢデータとして画像処理回路３０で処理される。従って、映像信号３、４等のマイクロコンピュータ２０内のＲＯＭに記憶されている記憶動画や記憶静止画も当然上記ＲＧＢデータに相当するものである。
（７）また、上記各実施形態で記載した境界領域情報は一例であって、表示される各映像が隣接しないように設定されていればどのような形態でも実施しうることは明白である。従って、境界領域映像内に表示される境界領域情報も境界領域映像の一部に反映されていても全体に反映されていても構わない。文字情報が表示される場合はその文字情報が画面内を移動する電光掲示板のような形態であってもよい。
【図面の簡単な説明】
【０１２６】
【図１】本発明に係る卓上型プロジェクターの第１実施形態を示す概略断面図である。
【図２】上記第１実施形態のブロック回路構成図である。
【図３】図２のマイクロコンピュータの作用を示すフローチャートである。
【図４】上記第１実施形態におけるスクリーン上の投影例示図である。
【図５】本発明の第２実施形態におけるマイクロコンピュータの作用を示すフローチャートである。
【図６】上記第２実施形態におけるスクリーン上の投影例示図である。
【図７】本発明の第３実施形態におけるスクリーン上の投影例示図である。
【図８】本発明の第４実施形態におけるスクリーン上の投影例示図である。
【符号の説明】
【０１２７】
２０…マイクロコンピュータ、３０…画像処理回路、７０…ランプ、
９０…ＬＣＤ、１３０〜１６０、１７０、１８０…映像、
１３０ａ〜１６０ａ、１３０ｂ〜１６０ｂ、１７０ａ、１８０ａ…境界領域。
【図１】
2006235523.tif 000003
【図２】
2006235523.tif 000004
【図３】
2006235523.tif 000005
【図４】
2006235523.tif 000006
【図５】
2006235523.tif 000007
【図６】
2006235523.tif 000008
【図７】
2006235523.tif 000009
【図８】
2006235523.tif 000010